(57)【特許請求の範囲】
【請求項１】
水平縁部と垂直縁部とにより断面略Ｌ形に形成されたドレイン受皿と、該ドレイン受皿の垂直縁部から後方に延成された排水管部とを備えてなり、コンクリート型枠に仮固定される打込型コーナードレインの、そのドレイン受皿を移動不能に保持するものであって、
下端が水平縁部の下方で対向するコンクリート型枠に当接して該水平縁部を所定位置に保持する長さ調整可能な支持部材を備え、
さらに前記支持部材を、上端が水平縁部の下面に固着される上下方向の螺子杆と、該螺子杆の下端が進退可能に螺入される雌螺子孔を備えた螺子筒と、コンクリート型枠との当接面積を拡大するフランジ部を備え、かつ螺子筒の雌螺子孔に下方から螺入若しくは嵌入されて該雌螺子孔を塞ぐボス部を備えてなるキャップ体とにより構成したことを特徴とする打込型コーナードレインのドレイン受皿保持装置。
【請求項２】
支持部材を構成する螺子杆の上端を、水平縁部の下面に螺着することにより、該支持部材をドレイン受皿に固定したことを特徴とする請求項１に記載した打込型コーナードレインのドレイン受皿保持装置。
【発明の詳細な説明】
【０００１】
【発明の属する技術分野】
本発明は、コンクリート型枠に仮固定された打込型コーナードレインのドレイン受皿を、その仮固定後からコンクリートが打設されて固結するまでの間、移動不能に保持するためのドレイン受皿保持装置に関する。
【０００２】
【従来の技術】
打込型コーナードレインは、断面略Ｌ形のドレイン受皿と、該ドレイン受皿から後方に延成された排水管部とを備えたドレイン本体を、仮固定装置によってコンクリート型枠に仮固定した状態で、周囲にコンクリートを打設することにより、床面と壁面とが交叉する建物のコーナー部分に設置される。
【０００３】
かかる施工に際して用いられる打込型コーナードレインの仮固定装置ａは、図７に示すように、縦方向に配設されたコンクリート型枠ｘに固定される位置決め盤ｂと、水平縁部ｉの後縁に垂直縁部ｊが連成された断面略Ｌ形のドレイン受皿ｈと前記垂直縁部ｊから後方に延成された排水管部ｋとを備えたドレイン本体ｎの、その排水管部ｋに一端が外嵌され、かつ他端が前記位置決め盤ｂに嵌合されて、ドレイン本体ｎを前記コンクリート型枠ｘに所要間隔で保持する筒状スペーサｃと、前記ドレイン本体ｎの垂直縁部ｊの前面で排水管部ｋの開口部を跨いで差し渡される挟圧板ｄをコンクリート型枠ｘ側に圧接して、前記筒状スペーサｃとで垂直縁部ｊ及び排水管部ｋを挟持する螺子杆ｅと蝶ナットｆとからなる挟持手段とにより構成されている。
【０００４】
かかる仮固定装置ａによって仮固定されたドレイン本体ｎの下方には、予めコンクリート型枠ｙが水平状に配設されており、また、ドレイン本体ｎの垂直縁部ｊの周囲には、コンクリート型枠ｘと対をなす縦方向のコンクリート型枠ｚが配設される。そして、この状態で、前記コンクリート型枠ｙの上部、及び両コンクリート型枠ｘ，ｚ間にコンクリートが打設されることとなる。
【０００５】
【発明が解決しようとする課題】
ところで、上述の仮固定装置ａにあって、コンクリート型枠ｘ，ｚの間隔によって規定される壁側のコンクリート厚を厚くする場合には、該コンクリート型枠ｘ，ｚの間隔に対応する長い筒状スペーサｃ及び螺子杆ｅを用いてドレイン本体ｎの仮固定が行われる。また、このような仮固定装置ａによって仮固定されるドレイン本体ｎは、施工後に円滑な排水作用が得られるように、その排水管部ｋを適宜の傾斜角度（例えば1° 10’）で後部下方に傾斜させ、かつ、ドレイン受皿ｈの水平縁部ｉの左右両側を水平に保持した状態でコンクリート型枠ｘに仮固定されている。
【０００６】
ところが、このような仮固定状態にあって、例えば、現場作業員が不注意で足をぶつけたり、物を当てたりして、ドレイン本体ｎに衝撃力が加えられ、これに起因して垂直縁部ｊの前面に差し渡されている挟圧板ｄが上方に相対的にずれると、図７に鎖線で示すように、ドレイン受皿ｈが前側に下方傾斜してしまうという問題点がある。ここで、この傾斜は、筒状スペーサｃ及び螺子杆ｅが長いほど顕著なものとなる。また、ドレイン本体ｎは、挟圧板ｄに挟圧力を付与する蝶ナットｆの緊締力を介してコンクリート型枠ｘ側に圧接されてはいるものの、螺子杆ｅの周りを回転可能であるため、上記のように、ドレイン本体ｎに何らかの衝撃力が加えられると、図８に示すように、ドレイン本体ｎが回転して、ドレイン受皿ｈの水平縁部ｉが左右何れかの方向に傾いてしまうという問題点があった。
【０００７】
本発明は、かかる従来の問題点を解消し得る打込型コーナードレインのドレイン受皿保持装置を提供することを目的とするものである。
【０００８】
【課題を解決するための手段】
本発明は、水平縁部と垂直縁部とにより断面略Ｌ形に形成されたドレイン受皿と、該ドレイン受皿の垂直縁部から後方に延成された排水管部とを備えてなり、コンクリート型枠に仮固定される打込型コーナードレインの、そのドレイン受皿を移動不能に保持するものであって、
下端が水平縁部の下方で対向するコンクリート型枠に当接して該水平縁部を所定位置に保持する長さ調整可能な支持部材を備え、
さらに前記支持部材を、上端が水平縁部の下面に固着される上下方向の螺子杆と、該螺子杆の下端が進退可能に螺入される雌螺子孔を備えた螺子筒と、コンクリート型枠との当接面積を拡大するフランジ部を備え、かつ螺子筒の雌螺子孔に下方から螺入若しくは嵌入されて該雌螺子孔を塞ぐボス部を備えてなるキャップ体とにより構成したことを特徴とする打込型コーナードレインのドレイン受皿保持装置である。
【０００９】
かかる構成にあって、水平縁部の下面に備えた支持部材によって、該水平縁部を所定位置に保持し得るので、コンクリート型枠に仮固定された状態にある打込型コーナードレインに何らかの衝撃力が加えられても、ドレイン受皿が前側に下方傾斜したり、該ドレイン受皿の水平縁部が左右方向に傾くことがない。
【００１０】
また、前記支持部材の長さ調整手段としては、上下方向の螺子杆と、該螺子杆の下端が進退可能に螺入される雌螺子孔を備えた螺子筒とによって構成したものを用いたことにより、仮固定位置におけるドレイン受皿の高さに応じて、支持部材の長さ調整及びその微調整を容易に行うことができる。
【００１１】
また、前記支持部材を構成する螺子杆の上端を、水平縁部の下面に螺着することにより、該支持部材をドレイン受皿に固定するようにしてもよい。ここで、打込型コーナードレインにあっては、Ｌ形に屈成されたアンカーｍ（図７，図８参照）を螺着するための螺子孔が、ドレイン受皿の水平縁部の下面の左右両側に予め形成されているので、該螺子孔に螺子杆の上端を螺着すれば、ドレイン受皿に螺子孔加工を別途施すことなく、支持部材を簡単に取り付けることができる。また、製品出荷時においては、前記支持部材をドレイン受皿から取り外した状態で梱包し得るので、嵩張ることがなく、さらに、施工後においては、硬化したコンクリート内でアンカー作用を得ることができる。
【００１２】
さらに、螺子筒の下端に、コンクリート型枠との当接面積を拡大するフランジ部を備え、かつ螺子筒の雌螺子孔に下方から螺入若しくは嵌入されて該雌螺子孔を塞ぐボス部を備えてなるキャップ体を配設するようにしたから、支持部材によって水平縁部を所定位置に保持した状態において、キャップ体のフランジ部によって、該支持部材の直立性を安定させることができる一方、硬化したコンクリートから型枠を取り外した時に、雌螺子孔の下部を塞ぐキャップ体のボス部によって、該雌螺子孔からの錆汁の漏出を防止することができる。
【００１３】
【発明の実施の形態】
以下に、本発明の一実施例を、図１〜図５について説明する。
【００１４】
打込型コーナードレイン１は、床面と壁面とが交叉する建物のコーナーに設置されるものであって、該打込型コーナードレイン１のドレイン本体２は、水平縁部３ａの後縁に垂直縁部３ｂが連成された断面略Ｌ形のドレイン受皿４と、前記垂直縁部３ｂから後方に延成された排水管部５とを備えてなる。該打込型コーナードレイン１は、コンクリートの打設前に仮固定装置６によってコンクリート型枠７Ａの所定位置に仮固定される。
【００１５】
前記仮固定装置６は、円形の位置決め盤８を備えており、該位置決め盤８は、縦方向に配設された前記コンクリート型枠７Ａの所定位置に釘９等によって固定される。該位置決め盤８には筒状スペーサ１０の一端が嵌合され、該筒状スペーサ１０の他端は前記ドレイン本体２の排水管部５の後端部に外嵌される。この筒状スペーサ１０の長さは、壁側となるコンクリートの厚みに対応しており、図示した例では、比較的長い筒状スペーサ１０が用いられている。
【００１６】
前記位置決め盤８の中央部には雌螺子部１１が設けられ、該雌螺子部１１に基端を螺合することにより螺子杆１２が略水平に植設されている。また、前記ドレイン本体２の垂直縁部３ｂの前面には、排水管部５の開口部５’を跨いで挟圧板１３が差し渡されており、該挟圧板１３の中央に形成した透孔に前記螺子杆１２を挿通させ、その突出端側に蝶ナット１５を螺着して緊締することにより、挟圧板１３をコンクリート型枠７Ａ側に圧接させて、該挟圧板１３と前記筒状スペーサ１０とで垂直縁部３ｂ及び排水管部５を挟持することにより、ドレイン本体２を仮固定するようにしている。そして、この螺子杆１２及び蝶ナット１５を、挟圧板１３をコンクリート型枠７Ａ側に圧接して、筒状スペーサ１０とで垂直縁部３ｂ及び排水管部５を挟持する挟持手段としている。
【００１７】
また、ドレイン受皿４の垂直縁部３ｂの周囲には、前記コンクリート型枠７Ａと対をなすコンクリート型枠７Ａ’が配設されるとともに、ドレイン受皿４の水平縁部３ａの下方にもコンクリート型枠７Ｂが水平状に配設されており、該コンクリート型枠７Ｂの上部、及び前記両コンクリート型枠７Ａ，７Ａ’間をコンクリートの充填空隙としている。
【００１８】
次に、本発明の要部であるドレイン受皿保持装置１６について説明する。該ドレイン受皿保持装置１６は、前記水平縁部３ａの下面の左右両側に、下端が水平縁部３ａの下方で対向する前記コンクリート型枠７Ｂに当接して該水平縁部３ａを所定位置に保持する長さ調整可能な支持部材１７，１７を備えている。
【００１９】
両支持部材１７，１７は、図４に示すように、上下方向の螺子杆１８と、軸線に沿う雌螺子孔１９を備えた螺子筒２０とからなり、該螺子筒２０の雌螺子孔１９に、前記螺子杆１８の下端を進退可能に螺入することにより、その螺進作用を介して長さ調整可能となっている。これにより、各支持部材１７の長さ調整手段が構成されている。
【００２０】
そして、各支持部材１７を構成する螺子杆１８の上端を、水平縁部３ａの下面に螺着することにより、該支持部材１７をドレイン受皿４に固定するようにしている。ここで、打込型コーナードレイン１にあっては、図２に示すように、Ｌ形に屈成されたアンカーｍ（図７，図８参照）を螺着するための螺子孔２６，２６が、ドレイン受皿４の水平縁部３ａの下面の左右両側に予め形成されているので、該螺子孔２６，２６に螺子杆１８の上端を螺着すれば、ドレイン受皿４に螺子孔加工を別途施すことなく、支持部材１７を簡単に取り付けることができる。
【００２１】
また、螺子筒２０の下端には、雌螺子孔１９を塞ぐキャップ体２１が配設されている。該キャップ体２１は、コンクリート型枠７Ｂとの当接面積を拡大するフランジ部２２と、該フランジ部２２の上面に突成されたボス部２３とからなり、図５イに示すように、該ボス部２３の外周には雄螺子２４が刻設されている。そして、該雄螺子２４を雌螺子孔１９に螺入することによって、キャップ体２１を螺子筒２０の下端に取付るようにしている。尚、キャップ体２１の取付手段としては、このような螺入式に代えて、図５ロに示すように、ボス部２３の外周に複数の抜止め段部２５を形成し、該ボス部２３を雌螺子孔１９に強制嵌入してキャップ体２１に取付る嵌入式としてもよい。
【００２２】
かかる構成にあって、図１，図２に示すように、打込型コーナードレイン１を、コンクリートの打設前に仮固定装置６によってコンクリート型枠７Ａの所定位置に仮固定するとともに、ドレイン受皿４の水平縁部３ａの下面に支持部材１７，１７の上端を螺着し、その長さ調整操作を介して該支持部材１７，１７の下端をコンクリート型枠７Ｂに当接させて、ドレイン受皿４の水平縁部３ａを所定位置に保持することにより、打込型コーナードレイン１に何らかの衝撃力が加えられても、従来のようにドレイン受皿４が前側に下方傾斜したり、水平縁部３ａが左右方向に傾くことがない。
【００２３】
ここで、前記支持部材１７，１７の長さ調整手段が、上下方向の螺子杆１８と、該螺子杆１８の下端が進退可能に螺入される雌螺子孔１９を備えた螺子筒２０とによって構成されていることにより、仮固定位置におけるドレイン受皿４の高さに応じて、支持部材１７，１７の長さ調整及びその微調整を容易に行うことができる。また、螺子筒２０の下端に配設されたキャップ体２１のフランジ部２２によって、該支持部材１７，１７の直立性を安定させることができる。
【００２４】
そして、この状態でコンクリートが打設され、その硬化後に、コンクリート型枠７Ｂを取り外す時に、雌螺子孔１９内で錆汁が発生していても、該雌螺子孔１９の下部がキャップ体２１のボス部２３によって塞がれていることにより、該雌螺子孔１９からの錆汁の漏出を防止することができる。また、施工後においては、支持部材１７，１７によって、硬化したコンクリート内でのアンカー作用を得ることができる。
【００２５】
尚、上記実施例では、二本の支持部材１７，１７を用いてドレイン受皿保持装置１６を構成した場合について説明したが、これに代えて、図６に示すように、単一の支持部材１７によってドレイン受皿保持装置１６を構成することもできる。この場合には、支持部材１７を構成する螺子杆１８の上端に、左右に長い帯板状のフランジ板２７を溶接等によって固着し、該フランジ板２７を螺子２８，２８によってドレイン受皿４の水平縁部３ａの螺子孔２６，２６に固定することにより、支持部材１７がドレイン受皿４に取付られることとなる。
【００２６】
【発明の効果】
本発明は、上述したように、水平縁部３ａの下面に、下端が水平縁部３ａの下方で対向するコンクリート型枠７Ｂに当接して該水平縁部３ａを所定位置に保持する長さ調整可能な支持部材１７を備えてなるドレイン受皿保持装置１６であるから、打込型コーナードレイン１に何らかの衝撃力が加えられても、ドレイン受皿４が前側に下方傾斜したり、水平縁部３ａが左右方向に傾く不具合を確実に防止することができる。
【００２７】
また、前記支持部材１７の長さ調整手段を、上下方向の螺子杆１８と、該螺子杆１８の下端が進退可能に螺入される雌螺子孔１９を備えた螺子筒２０とによって構成したから、仮固定位置におけるドレイン受皿４の高さに応じて、各支持部材１７の長さ調整及びその微調整を容易に行うことができる。
【００２８】
また、前記支持部材１７を構成する螺子杆１８の上端を、水平縁部３ａの下面に螺着することにより、該支持部材１７をドレイン受皿４に固定するようにしたから、該ドレイン受皿４の下面の左右両側に予め形成されている螺子孔２６に螺子杆１８の上端を螺着することにより、ドレイン受皿４に螺子孔加工を別途施すことなく、支持部材１７を簡単に取り付けることができる。また、製品出荷時においては、前記支持部材１７をドレイン受皿４から取り外した状態で梱包し得るので、嵩張ることがなく、さらに、施工後においては、硬化したコンクリート内でアンカー作用を得ることができる。
【００２９】
さらに、螺子筒２０の下端に、コンクリート型枠７Ｂとの当接面積を拡大するフランジ部２２を備え、かつ螺子筒２０の雌螺子孔１９に下方から螺入若しくは嵌入されて該雌螺子孔１０を塞ぐボス部２３を備えてなるキャップ体２１を配設したから、支持部材１７によって水平縁部３ａを所定位置に保持した状態において、キャップ体２１のフランジ部２２によって、該支持部材１７の直立性を安定させることができる一方、硬化したコンクリートから型枠７Ｂを取り外した時に、雌螺子孔１９の下部を塞ぐキャップ体２１のボス部２３によって、該雌螺子孔１９からの錆汁の漏出を防止することができる等の優れた効果がある。
【図面の簡単な説明】
【図１】本発明にかかるドレイン受皿保持装置の施工状態を示す縦断側面図である。
【図２】同上の施工状態の一部切欠正面図である。
【図３】仮固定装置を備えた打込型コーナードレインの平面図である。
【図４】支持部材の分解図である。
【図５】キャップ体の取付手段を示し、イは螺入式、ロは嵌入式のボス部を備えたキャップ体の縦断面図である。
【図６】他の構成からなるドレイン受皿保持装置の施工状態を示す一部切欠正面図である。
【図７】従来構成を示す縦断側面図である。
【図８】従来構成を示す正面図である。
【符号の説明】
１  打込型コーナードレイン
２  ドレイン本体
３ａ  水平縁部
３ｂ  垂直縁部
４  ドレイン受皿
５  排水管部
７Ａ  コンクリート型枠
７Ｂ  コンクリート型枠
１６  ドレイン受皿保持装置
１７  支持部材
１８  螺子杆
１９  雌螺子孔
２０  螺子筒
２１  キャップ体
２２  フランジ部
２３  ボス部
【図１】
0003762238.tif 000002
【図２】
0003762238.tif 000003
【図３】
0003762238.tif 000004
【図４】
0003762238.tif 000005
【図５】
0003762238.tif 000006
【図６】
0003762238.tif 000007
【図７】
0003762238.tif 000008
【図８】
0003762238.tif 000009